(57)【要約】【課題】化粧組成物がアプリケーターとは別に収容されそして計量されるやり方でアプリケーターのみに使用され、さらに未使用の製品が使用、汚染または露出された組成物から離れて保持され、組成物の貯槽のヘッドスペースが実質的になく、含有組成物のほとんどを使用でき、未使用の組成物が大気へ露出しない容器および施与メカニズムの提供。【解決手段】管状の容器、管状容器内に配置されかつ軸穴を有する打ち込みねじ、容器を閉じるためのキャップ、管状の容器の内壁および打ち込みねじの外壁により流動可能な組成物を含有する環状のコンパートメントを形成する打ち込みねじ上の第一のシールおよび第二のシール、環状のコンパートメントと打ち込みねじの穴との間を流体連絡する少なくとも１つのチャンネル、およびキャップと結合した駆動手段および打ち込みねじに結合した補完駆動手段からなる流動可能な組成物のためのディスペンサー。【選択図】図１
2008508983.tif 000002
【特許請求の範囲】
【請求項１】
管状の容器、
管状容器内に配置されかつ軸穴を有する打ち込みねじ、
容器を閉じるためのキャップ、
管状の容器の内壁および打ち込みねじの外壁により流動可能な組成物を含有するための環状のコンパートメントを形成する打ち込みねじ上の第一のシールおよび第二のシール、
環状のコンパートメントと打ち込みねじの穴との間に流体連絡をもたらす少なくとも１つのチャンネル、および
キャップと結合した駆動手段および打ち込みねじに結合した補完駆動手段、これら駆動手段は、協働して容器が開くたびにコンパートメントの体積を減少させる
からなり、
該第二のシールは、常態ではチャンネルを閉じているが、コンパートメントの体積の減少に応じてチャンネルを開きそして打ち込みねじの軸穴中にチャンネルを経て組成物を流れさせることを特徴とする流動可能な組成物のための施与装置。
【請求項２】
底部の末端、頂部の末端、内壁および頂部の末端の外側にねじ山を有する頚部を有しかつ頚部で開いている管状の容器、
頂部の末端、底部の末端、水平に延在する軸穴、打ち込みねじの底部の末端上の点で終わるねじ山を有する外壁を有する打ち込みねじ、
打ち込みねじの頂部の末端付近の穴内の駆動手段、
ねじ山を有する外壁の下の打ち込みねじ上の弁座、弁座の下の打ち込みねじの壁は少なくとも１つの開口を有する、
打ち込みねじ上にねじ込まれて設けられたピストン、
弁座の下の打ち込みねじに設けられかつ弁シールを有する弁、
該打ち込みねじは、管状容器内に配置されかつその上に設けられたピストンおよび弁を有し、該ピストンおよび該弁はそれぞれ管状の容器の内壁と摩擦による外周シールを形成し、さらに該ピストンおよび該弁は、管状の容器の内壁および打ち込みねじの外壁と組成物のための環状のコンパートメントを画成し、該少なくとも１つの開口は、環状のコンパートメントと軸穴との間に流体連絡をもたらし、該ピストンは、打ち込みねじで下方に回転可能に移動でき、そして該弁は、弁から下方の方向にのみ軸方向に移動可能である、
打ち込みねじの壁の少なくとも１つの開口が常態では閉じられるように弁座に対して弁シールを圧迫するためのバイアス要素、並びに
キャップ、キャップから設けられそして軸穴に除去可能に挿入できる棒およびキャップに設けられたキャップはめ込みからなるキャップアセンブリ、ここで、該棒は、その周辺に少なくとも１つのラチェット歯を有しさらに打ち込みねじの穴内の駆動手段を補うように適合された駆動手段を有し、該棒の駆動手段は、棒が打ち込みねじの穴内にあるとき、打ち込みねじの穴内の駆動手段と係合するものであり、該キャップはめ込みは、管状の容器の頚部の外部のねじ山と接合する内部のねじ山を１つの末端で有しそして他の末端で少なくとも１つの傾斜した段違いタブを有し、該棒のラチェット歯は、棒が１つの方向に向かうとき該傾斜した段違いタブと係合しそして棒が前記の１つの方向とは反対の方向に向かうとき自由回転する
からなり、上記構成により、キャップが管状の容器の頚部からねじってはずされて容器が開くとき、少なくとも１つのラチェット歯は、棒の縦軸の周りを回転して少なくとも１つのタブと係合しそしてピストンを回転してピストンは打ち込みねじ上を下方に向かってねじ込まれて環状のコンパートメント中の組成物に対する圧力を増大させてバイアス要素の上方に向かうバイアス力に打ち勝ちそして弁シールを弁座から下方に移動させて打ち込みねじの壁の少なくとも１つの開口を露出させそして環状のコンパートメントから打ち込みねじの穴中に組成物を流れ込ませて棒と接触させる
ことからなることを特徴とする化粧組成物のための施与装置。
【請求項３】
環状のコンパートメントが流動可能な組成物を含む請求項１の装置。
【請求項４】
流動可能な組成物が１つ以上の揮発性剤を含む請求項３の装置。
【請求項５】
マスカラ組成物が、後発泡マスカラ組成物である請求項４の装置。
【請求項６】
環状のコンパートメントが、リップグロスまたはリップゲル組成物を含む請求項１の装置。
【請求項７】
リップグロスまたはリップゲル組成物が、１つ以上の揮発性剤を含む請求項６の装置。
【請求項８】
リップグロスまたはリップゲル組成物が、後発泡リップグロスまたはリップゲル組成物である請求項７の装置。
【請求項９】
その上に付着した組成物の付与を助けるための、棒の上に設けられたアプリケーターをさらに含む請求項２の装置。
【請求項１０】
打ち込みねじの軸を水平に保持しさらにその回転を可能にしつつ打ち込みねじの穴の底部をシールするための、底部の末端にある容器の末端のキャップをさらに含む請求項２の装置。
【請求項１１】
組成物を付与する目的でアプリケーターを容器から取り出すとき、過剰の組成物をアプリケーターから除去するための拭うものをさらに含む請求項２の装置。
【請求項１２】
拭うものが、打ち込みねじの穴の狭窄部である請求項１１の装置。
【請求項１３】
環状のコンパートメントが流動可能な組成物を含む請求項２の装置。
【請求項１４】
流動可能な組成物が１つ以上の揮発性剤を含む請求項１３の装置。
【請求項１５】
流動可能な組成物が後発泡マスカラ組成物である請求項１４の装置。
【請求項１６】
環状の貯槽がリップグロスまたはリップゲル組成物を含む請求項２の装置。
【請求項１７】
リップグロスまたはリップゲル組成物が１つ以上の揮発性剤を含む請求項１６の装置。
【請求項１８】
リップグロスまたはリップゲル組成物が後発泡リップグロスまたはゲル組成物である請求項１７の装置。
【請求項１９】
その上に付着した組成物の付与を助けるための、棒の上に設けられたアプリケーターをさらに含む請求項１の装置。
【請求項２０】
打ち込みねじの軸を水平に保持しさらにその回転を可能にしつつ打ち込みねじの穴の底部をシールするための、底部の末端にある容器の末端のキャップをさらに含む請求項１の装置。
【請求項２１】
組成物を付与する目的でアプリケーターを容器から取り出すとき、過剰の組成物をアプリケーターから除去するための拭うものをさらに含む請求項１の装置。
【請求項２２】
拭うものが、打ち込みねじの穴の狭窄部である請求項２１の装置。  
【請求項２３】
環状のコンパートメントが、コンシーラーまたはファンデーション組成物を含む請求項１の装置。
【請求項２４】
環状のコンパートメントが、通常の大気の条件に露出したときその安定性が低下する組成物を含む請求項１の装置。
【請求項２５】
環状のコンパートメントが、マスカラ、リップグロス、リップゲル、コンシーラー、ファンデーション、まゆずみまたはアイシャドー組成物を含む請求項１の装置。
【請求項２６】
環状のコンパートメントが、マスカラ、リップグロス、リップゲル、コンシーラー、ファンデーション、まゆずみまたはアイシャドー組成物を含む請求項２の装置。
【請求項２７】
管状の容器およびキャップが、ポリエチレンテレフタレート（ＰＥＴ）またはポリ（シクロへキシレンジメチレンシクロヘキサンジカルボキシレート）（ＰＣＴＡ）から製造され、打ち込みねじおよびアプリケーターが、アセタールから製造され、そして第一のシールおよび第二のシールが、低密度ポリエチレンから製造される請求項２の装置。
【請求項２８】
管状の容器およびキャップが、ポリエチレンテレフタレート（ＰＥＴ）またはポリ（シクロへキシレンジメチレンシクロヘキサンジカルボキシレート）（ＰＣＴＡ）から製造され、打ち込みねじおよびアプリケーターが、アセタールから製造され、そして第一のシールおよび第二のシールが、低密度ポリエチレンから製造される請求項１４の装置。
【請求項２９】
組成物を含むための第一のコンパートメント、第一のコンパートメントと流体連絡しさらに一回の使用分に好適な量の組成物を含むように適合された第二のコンパートメント、第一のコンパートメントから第二のコンパートメントへの流れを防ぐ常態では閉じた位置にある弁、取り外し可能に第二のコンパートメントを閉じるように適合されたキャップ、並びにキャップの開放に応じて弁を開けそれにより第一のコンパートメントに含まれる組成物が第二のコンパートメントに流れ込むキャップに取り付けられた駆動アセンブリからなることを特徴とする流動可能な組成物のための施与装置。
【発明の詳細な説明】
【技術分野】
【０００１】
本発明は、化粧用施与装置に関する。さらに特に、それはマスカラ組成物を施与するための装置に関する。
【背景技術】
【０００２】
マスカラおよび同様な化粧製品を貯蔵かつ施与するための従来技術の容器は、数十年間デザインおよび機能が同じままであった。
【０００３】
マスカラ組成物を施与するための装置は、当業者に周知である。このような装置の１つは、マスカラ組成物のための貯槽として働く管状の容器からなる。管状の容器は、１つの末端で開いている。１つの末端で剛毛を有しそしてその他の末端でキャップ部分を有する棒からなるアプリケーターは、容器中に着脱自由に配置されそして容器中のマスカラ組成物と接触する。代表的には、棒および剛毛は、収容されるかまたはマスカラ組成物中に直接浸漬される。キャップ部分は、管状の容器の開いた末端の蓋として働く。これは、一般に、その開いた末端で管状の容器の外表面のねじ山と係合するように適合されたねじ山をキャップの内表面に設けることによって達成される。
【０００４】
一般に、このような従来の装置は、また拭うものを含む。拭うものは、管状の容器内に配置される。拭うものは、アプリケーターがマスカラ組成物をまつげに塗る目的で管状の容器から取り出されるとき、アプリケーターの剛毛および棒から過剰のマスカラ組成物を除去するように機能する。
【発明の開示】
【発明が解決しようとする課題】
【０００５】
これらの従来の装置は、多くの点で欠陥があることが明らかになっている。代表的には、それらは、大気からその中に含まれるマスカラ組成物をシールするために、拭うものとキャップとの接触および拭うものと棒との接触にのみ依存している。従来の容器中のマスカラを使用するとき、ヘッドスペース（マスカラ組成物と容器の側壁および頂部または底部との空隙）は増大し、そしてマスカラ組成物が干上がる傾向が、より明らかになる。これは、使用を難しくさせさらに製品の寿命を短くする。このような装置は、一般に、そのなかに含まれる組成物の約５０−７０％の使用を可能にするに過ぎない。その上、従来の装置は、消費者が使用するたびに、そのなかに貯えられている組成物の大部分を大気に繰り返し曝すことになる。これは、微粒子および微生物のような異物による汚染のリスクを増加させるのに働く。
【０００６】
その上、これらの従来の装置は、１つ以上の揮発性剤例えば米国特許出願１０／３３１０６９、ＰＣＴ出願ＵＳ０３／４０７８２、ＰＣＴ出願ＵＳ０３／４０７９０およびＰＣＴ出願ＵＳ０３／４０７８９に記載されているような後発泡（ｐｏｓｔ−ｆｏａｍｉｎｇ）マスカラ組成物に含まれる揮発性剤を顕著な量で含む化粧組成物の貯蔵および付与に適さない。
【０００７】
従来、揮発性剤例えばイソペンタンを含む後発泡マスカラ組成物は、閉じた容器に貯蔵しなければならなかった。上記の従来の装置からこれら後発泡組成物を施与する本発明者の試みは、うまくいかなかった。従来の装置は、蒸気圧を発生できる１つ以上の揮発性成分を有する組成物を含む能力を有しない。その上、従来の装置は、後発泡または後膨張の組成物を予め膨張または発泡させて効力を失わせることになる。組成物は、装置の内側で干上がってしまい勝ちである。アプリケーターが従来装置から取り出されそして再び挿入されるたびに、空気が入りそしてマスカラ組成物を乾燥させてマスカラ組成物を収容している貯槽の内表面を被覆する。組成物を使われると、組成物の乾燥が生ずる貯槽および内表面のヘッドスペースが増大する。これは、さらなる乾燥と揮発性組成物の成分の損失をもたらす。
【課題を解決するための手段】
【０００８】
従来のマスカラ容器および施与装置の上記の欠点を回避するのが本発明の目的である。
【０００９】
化粧組成物がアプリケーターとは別に収容されそして組成物が好ましくは計量されるやり方でアプリケーター上のみに使用される改良された容器および施与メカニズムを提供するのが本発明のさらなる目的である。
【００１０】
未使用の製品の貯槽が、使用、汚染または露出された組成物から離れて保持される施与装置を提供するのが本発明の他の目的である。
【００１１】
組成物のための貯槽のヘッドスペースが実質的に排除される施与装置を提供するのが本発明のさらなる他の目的である。
【００１２】
そのなかに含まれる組成物の９５−９９％以内の使用を可能にする施与装置を提供するのが本発明の他の目的である。
【００１３】
未使用の組成物が大気への露出から離されている施与装置を提供するのが本発明の他の目的である。これは、大気に鋭敏な組成物にとり特に重要である。
【００１４】
本発明の追加の目的は、そのなかに含まれる組成物の予定された単位使用量の伝達を可能する施与装置を提供することである。
【００１５】
本発明は、流動可能な組成物、特に化粧組成物そしてさらに特にバリヤーシステムタイプの貯蔵を要する流動可能な化粧組成物を貯蔵および包装するための装置を提供する。例えば、外界の大気からシールされねばならない組成物は、好適には、本発明の装置に包装される。このような組成物は、本発明によらなければ組成物から蒸発すると思われる揮発性物、例えば揮発性の炭化水素油、揮発性のシリコーン流体および揮発性のアルコールを含む。
【００１６】
正常の大気の条件に曝されるときその安定性が低下する１つ以上の成分、例えば酸化を受けやすい成分は、また、本発明の包装に貯蔵できる。これらの組成物の例は、活性物例えばレチノール、トコフェロールおよびアスコルビン酸を含むスキンケア処方物を含むが、これらに限定されない。大気（酸素および或る場合には太陽光）に曝されると、これらの化合物は、より有効でない化合物かまたは全く無効な化合物に酸化される。
【００１７】
時間の経過により完全に乾燥しやすいほとんどすべての流動可能な組成物（例えば液体、半固体、ゲルなど）も、また本発明の包装に貯蔵できる。多くの通常の化粧処方物は、ヘッドスペースを生ずる容器に収容されて、完全に乾ききることになる。製品が使用されるたびに、さらなるヘッドスペースが生じ、製品の寿命を短くする。例えば、マスカラ、液状リップスティックおよびファンデーションのための従来の容器は、すべて代表的に、時間の経過とともに製品を完全に乾燥させる。本発明の包装装置は、完全な乾燥を排除ししかも初めの使用と最後の使用との間に組成物のコンシステンシーを確保することにより、製品の寿命を長引かせる。そのため、本発明の包装装置は、例えばマスカラ、リップグロス、リップゲル、コンシーラー、ファンデーション、まゆずみおよびアイシャドー組成物を包装するのに理想的であり好適である。本発明のディスペンサーから施与されうるマスカラ組成物は、米国特許出願１０／３３１０６９、ＰＣＴ出願ＵＳ０３／４０７８２、ＰＣＴ出願ＵＳ０３／４０７９０およびＰＣＴ出願ＵＳ０３／４０７８９（これら出願は本明細書において参考として引用される）の加圧または非加圧の後発泡マスカラ組成物を含む。
【００１８】
流動可能な組成物用の施与装置は、組成物を含むための第一のコンパートメント、第一のコンパートメントと流体連絡の第二のコンパートメント（第二のコンパートメントは、一般に、一回の使用分に好適な量の組成物を含むように適合されている）、第一のコンパートメントから第二のコンパートメントへの流れを防ぐ常態では閉じた位置の弁、第二のコンパートメントを着脱自由に閉じるように適合されたキャップ、およびキャップに結合した駆動アセンブリ（駆動アセンブリは、キャップの開放に応じて弁を開き、それにより第一のコンパートメントに含まれる組成物を第二のコンパートメント中に流入させる）からなる。
【００１９】
本発明の他の側面では、装置からのキャップの取り外しに応じて、駆動手段は、第一のコンパートメントの体積を減らしてその中の組成物を圧縮し、第一のコンパートメントの圧力の増大は、弁を開きそして組成物を第二のコンパートメント中に流入させ、弁はコンパートメント中の圧力が等しくなると閉じる。
【００２０】
本発明のさらに他の側面では、流動可能な組成物用の施与装置が提供され、それは、管状の容器、軸穴を有する打ち込みねじ（打ち込みねじは、管状の容器内に配置される）、容器を閉じるためのキャップ、キャップから設けられそして打ち込みねじの穴に挿入可能なアプリケーター、打ち込みねじの第一のシールおよび第二のシール（該第一のシールおよび第二のシールは、管状の容器の内壁と打ち込みねじの外壁とにより、流動可能な組成物を収容するための環状のコンパートメントを形成する）、環状のコンパートメントと打ち込みねじとの間に流体連絡をもたらす少なくとも１つのチャンネルを有する打ち込みねじ、キャップに結合した駆動手段、並びにキャップの駆動手段と係合するように適合された打ち込みねじと結合した駆動手段（駆動手段は、ともに働いて、容器が開けられるたびにコンパートメントの体積を減らす）、コンパートメントの体積の減少に応じてチャンネルを開きそして組成物をチャンネルを通して打ち込みねじの軸穴中に流れ込ませてアプリケーターと接触させる常態ではチャンネルを閉じる第二のシールからなる。
【００２１】
本発明の他の側面は、流動可能な組成物特に化粧組成物のための施与装置を提供し、それは、底部の末端、頂部の末端、内壁、および頂部の末端における外側にねじ山をもつ頚部を有する管状の容器（容器は頚部で開いている）、頂部の末端、底部の末端、水平に延在した軸穴、およびねじ山をもつ外壁（ねじ山は、打ち込みねじの底部の末端の上の点で終わっている）を有する打ち込みねじ、打ち込みねじの頂部の末端付近の穴内の駆動手段、ねじ山をもつ外壁の下で打ち込みねじの底部の末端の上の打ち込みねじの弁座（弁座の下の打ち込みねじの壁は少なくとも１つの開口を有し、そして弁座は、好ましくは、その直径が打ち込みねじの直径より大きい打ち込みねじ上の放射状の延長部分である）、打ち込みねじ上にねじ込み可能に設けられたピストン、弁シールを有する弁（弁は、弁座の下に打ち込みねじ上に滑動可能に設けられている）からなり、［打ち込みねじは、その上に設けられたピストンおよび弁を有ししかも管状の容器内に位置し、ピストンおよび弁は、それぞれ管状の容器の内壁とともに周辺の摩擦シールを形成し、そして管状の容器の内壁および打ち込みねじの外壁とともに流動可能な組成物のための環状のコンパートメントを画成し、弁座の下の打ち込みねじの少なくとも１つの開口は、環状のコンパートメントと打ち込みねじの穴との間に流体連絡をもたらし、ピストンは、さらに打ち込みねじのねじ山上で下方に回転可能に移動でき、弁は弁座から下方の方向に軸方向に移動できる］、さらに打ち込みねじの壁の少なくとも１つの開口が常態では閉じるように弁座に対して弁座を傾斜させるためのバイアス要素、およびキャップ、キャップから設けられそして打ち込みねじの水平に延在している軸穴中に取りだし可能に挿入できる棒（棒は、その円周のまわりに少なくとも１つ好ましくは複数のラチェット歯を有する）および打ち込みねじの穴内で駆動手段を補うように適合された駆動手段、棒が打ち込みねじの穴内にあるとき打ち込みねじ打ち込みねじの穴内で駆動手段と係合する棒駆動手段、キャップに設けられそして１つの末端で管状の容器の頚部の外部のねじ山にはまる内部のねじ山を有しそしてその他の末端で少なくとも１つ好ましくは複数の傾斜した段違いタブを有するキャップはめ込みからなるキャップアセンブリからなる［棒上の少なくとも１つのラチェット歯は、棒が１つの方向に回るとき少なくとも１つの傾斜した段違いタブと係合するものであり一方棒が前記の１つの方向とは反対の方向に回るとき自由に回転し、それにより管状の容器の頚部からキャップをねじりとって施与装置を開けるとき、少なくとも１つのタブは、少なくとも１つのラチェット歯と係合しそして係合した補完駆動手段から打ち込みねじへ回転運動を伝え、打ち込みねじ上のねじ込まれたピストンは、打ち込みねじを下方に進み、環状のコンパートメントの体積を減少させそしてそのなかの組成物に対する圧力を同時に上昇させて、バイアス要素の上方へのバイアス力に打ち勝って打ち込みねじの壁の少なくとも１つの開口を露出させるように弁座から弁シールを下方に移動させそして組成物を環状のコンパートメントから打ち込みねじの穴中に流れ込ませて棒と接触させる］。
【発明を実施するための最良の形態】
【００２２】
好ましい態様では、本発明の装置は、図１に示されるように、予定された内径を有する円筒状の容器（１）を含む。容器は、ねじを切られた頚部分（２）を有し、そして１つの末端（３）で開いている。好ましくは、それはまたその他の（下方の）末端（２５）で開いていて装置の組み立てを助けそして化粧組成物（図示せず）で満たすのを助ける。容器（１）は、好ましくは、射出成型されてその内径をコントロールする。少なくともその上方の末端で開いている穴（３０）を有する外側をねじ切りされた打ち込みねじ（４）は、容器の中心の水平軸に沿って容器の内側に配置される。本明細書で使用されるとき、用語「上方」は、キャップ（１４）（図３参照）の付近またはそれに向かってまたはその方向の装置の末端または部分、または装置の任意のコンポーネント部分の末端または部分を意味することを目的とする。用語「下方」は、キャップ（１２）の付近またはそれに向かってまたはその方向の装置の末端または部分、または装置の任意のコンポーネント部分の末端または部分を意味することを目的とする。打ち込みねじ（４）は、好ましくは、図１に示されるように、その全体の長さにおいて中空である。
【００２３】
打ち込みねじの上方の末端は、図３に最も良く示されているように、容器の頚部（２）の内径内に適合する円い外部の断面を有する。容器は、頚部（２）内に小さい外側の段または縁（３５）を有し、それは、ねじを容器の中心の水平軸の周りに回転させつつ、打ち込みねじ（４）のための止め子として機能する。打ち込みねじの穴（３０）の上方の末端内に、図１Ｂでは六角形で示されている造形された内側（２９）が設けられ、キャップ内で組み立てられうる他のコンポーネントからのプラスの回転駆動手段を受容するように適合された、打ち込みねじの穴の駆動手段として本明細書では規定される。打ち込みねじの穴の頂部の駆動手段（２９）は、また、本明細書において補完駆動手段（２９）ともいわれる。
【００２４】
好ましく成型されたピストン（５）は、打ち込みねじ（４）に取り付けられそして打ち込みねじ（４）の外側のねじ山（８）と係合する。ピストン（５）は、ねじを切った内側の穴（２４）を有し、それは打ち込みねじのねじ山（８）と係合する。撓み性のあるピストン（５）は、外周シールを生ずるデザインされた締まりじめにより容器（１）の内径内に適合する。打ち込みねじ（４）の下方の末端には、円筒状に成形された弁（６）が取り付けられ、それは、また外周シールを生ずるデザインされた締まりじめにより容器（１）の内径内に適合する。図１Ａに詳細に示されている弁（６）は、打ち込みねじ（４）のねじ山のない部分（７）で打ち込みねじ（４）のベースの周りに密接に適合する円滑な穴の中心部分（４２）を有する。この適合は、弁（６）を打ち込みねじ（４）について軸方向に移動させる。弁は、また打ち込みねじの部分（７）上で回転自在に自由に移動する。弁（６）の穴（４２）は、ねじ山のない部分（７）の上方の末端で打ち込みねじ（４）の直径の周りの円錐形の弁座または傾斜した表面（１０）と適合する円錐形のシールまたは傾斜した表面（９）を有する。弁座（１０）は、好ましくは、その直径が打ち込みねじ（４）の直径より大きい打ち込みねじ（４）上の放射状の延在部である。
【００２５】
バイアス要素例えば圧縮ばね（１１）は、弁（６）の裏にはめ込まれそして弁のベースのくぼみ内に配置される。圧縮ばねが好ましいが、任意のバイアス要素が使用でき、例えばメモリーを有する弾性物質がある。末端のキャップ（１２）は、容器（１）の開いた末端（２５）の内側に適合し、図３に示されるように、バイアス要素（１１）は、末端のキャップ（１２）の内径内にはめ込まれる。末端のキャップ（１２）は、シールを生ずるのに十分な締まりじめを容器（１）と形成し、さらに末端のキャップの内側（１２）と弁（６）との間でばね（１１）を圧縮する。末端のキャップ（１２）は、また、打ち込みねじ（４）の底部の末端のために心棒の機能を果たすのに加えて、容器（１）のために堅固な機械的な末端を生ずるように機能する。
【００２６】
バイアス要素は、弁（６）と末端のキャップ（１２）との間に適合されそして圧縮し、打ち込みねじ（４）上の円錐形の弁座（１０）に対して円錐形の弁シール（９）を密に維持する。打ち込みねじ（４）上の円錐形の弁座（１０）の下でそして末端のキャップ（１２）に向かって、複数（好ましくは２つまたは３つ）の開口があり、それらは、打ち込みねじ（４）の直径と等しくそして半径方向に分布している。開口（１３）は、打ち込みねじの壁を経て延在し、そして好ましくは直径０．０６０インチである。孔の直径は、装置に収容されるべき組成物の粘度および流れの特性に応じて調節される。
【００２７】
図２に示されているように、キャップ（１４）は、容器（１）の外径に合致するように成型かつ成形され、そして一連の内側のスプラインを有しさらにねじを切ったキャップはめ込み（１５）の下方の周辺に沿って設けられるスプライン（３８）と係合して締まりじめを生ずるアンダカットした丸縁を有する。キャップはめ込み（１５）は、内側のねじ山（１６）を有し、それは容器の頚部（２）の外側のねじ山と係合する。好ましくは断面が円くそして上方のフランジ（１８）、円筒状の上方の部分（３１）および好ましくは六角形の部分（２１）を有するアプリケーターの棒（１７）は、キャップはめ込み（１５）中に適合されそしてそれを通る。六角形の部分（２１）は、本明細書では、キャップの駆動手段として規定されそして打ち込みねじの六角形の穴（２９）の駆動手段を補完する。係合すると、アプリケーターの棒（１７）からの回転運動は、打ち込みねじ（４）に伝達される。得られるアセンブリは、棒のフランジ（１８）がキャップ（１４）とキャップはめ込み（１５）との間に捕捉されそして自由に回転するが軸方向には移動しないように、キャップ（１４）中に適合される。図４にさらに明らかに示されるように、棒（１７）の上方の末端の軸の周りであるがフランジ（１８）と円筒状の上方の部分（３１）との間に、少なくとも１つ好ましくは一連の外側のラチェット歯（１９）があり、それらはキャップはめ込み（１５）の上方の末端上の少なくとも１つ好ましくは複数の傾斜した段違いの曲がるタブ（２０）（好ましくは２つから３つのタブ）と一致する。ラチェットシステムは、１つの方向に棒（１７）を駆動しそして他の方向に自由回転するようにデザインされる。好ましくは、キャップアセンブリが逆時計回りに回転するとき、ラチェットは係合し、そしてキャップアセンブリが時計回りに回転するとき、ラチェットは自由回転または徐々に動く。円筒状部分（３１）の下方の末端は、容器（１）の頚部（２）の開いた末端（３）の縁（３５）の頂部上にシールを生ずる縁（３２）を有する。棒（１７）は、また、アプリケーター（３７）例えばマスカラブラッシュの挿入のためにその下方の末端でオリフィス（２３）を有する長い細いシャフト（２２）からなる延在部を有する。シャフト（２２）およびアプリケーター（３７）は、打ち込みねじ（４）の内側の穴の内部に適合するようにデザインされる。
【００２８】
組み立てでは、ピストン（５）は、打ち込みねじ（４）上にねじ込まれそして打ち込みねじ（４）のねじ山の部分（８）の頂部の末端に位置する。打ち込みねじ／ピストンアセンブリは、打ち込みねじ（４）の上方の末端が容器の頚部の内径内に適合するように、その開いた末端（２５）を経て容器（１）のハウジング中に挿入される。図２のキャップアセンブリ（アプリケーター（３７）を有する棒（１７）、キャップはめ込み（１５）およびキャップ（１４））は、容器（１）のねじを切った頚部（２）に時計回りにねじ込まれる。容器／キャップアセンブリは、ひっくり返されて化粧組成物が容器の開いた下方の末端（２５）を経て容器中に満たされるようにし、組成物は、打ち込みねじ（４）の外径と容器（１）の内径との間そしてピストン（５）のベースから打ち込みねじ（４）の円錐形の弁座１０）までの環状のコンパートメントに存在する。弁（６）は、次に、打ち込みねじ（４）に取り付けられる。前記のように、弁（６）およびピストン（５）は、それぞれ容器（１）の内壁と緊密な締まりじめをもたらし、従って組成物を環状のコンパートメント内にシールする。バイアス要素（１１）および末端のキャップ（１２）は、次に容器中に置かれて、装置の組み立てを完了する。末端のキャップ（１２）は、容器の内部の止め子まで容器中に押し込まれる。
【００２９】
組み立てられたディスペンサーは、図５Ａにその最初の閉じた位置で示される。この閉じた位置では、ピストン（５）は、打ち込みねじ（４）のねじを切った部分（８）の頂部で示される。同様に、弁（６）は弁座（１０）に対しておかれ、そして弁（６）は開口（１３）をカバーする。従って、組成物は環状のコンパートメント（５０）に含まれる。
【００３０】
エンドユーザーがキャップ（１４）をねじってディスペンサーを開けるとき（図５Ｂでは逆時計回りの矢印Ａにより示される）、キャップはめ込み（１５）上のタブ（２０）は、棒（１７）上のラチェット歯（１９）と係合し、そしてキャップの回転運動は、キャップ（１４）が容器の頚部（２）からねじってはずされるとき、棒（１７）に伝達される。キャップの駆動手段例えば棒（１７）の六角形の雄の部分（２１）（それにより打ち込みねじ（４）の穴（３０）内の補完駆動手段（２９）例えば打ち込みねじの雌の末端が、キャップ（１４）が施与装置からねじってはずされる前そしてその間に、協働的に係合する）は、棒（１７）から打ち込みねじ（４）に回転運動を伝達する。打ち込みねじ（４）がその固定した軸の周りを回転するとき、ピストン（５）は、弁（６）に向かってねじってはずす方法で下方に（図５Ｂで矢印Ｂ）駆動されて、環状のコンパートメント（５０）の体積を減らしそして環状のコンパートメントの組成物に対する圧力を増加させる。圧力のこの増加に応じて、弁（６）はバイアス要素すなわちばね（１１）の方向に移動し、さらにバイアス要素を圧縮する（図５Ｂで矢印Ｃ）。円錐形の弁シール（９）が円錐形の弁座（１０）から離れるとき、組成物は、打ち込みねじ（４）の側面の開口（１３）を経て流れそして打ち込みねじ（４）の内部の室（穴（３０））に入り、そこでアプリケーターはその休止位置に収容される。組成物の単位使用量が室中に開口を経て流れるとき、環状のコンパートメント（５０）の圧力は低下し、圧縮されたバイアス要素（１１）を延ばしそして弁（６）を円錐形の弁座（１０）に対してその休止位置に戻し、それによりシステムを閉じる。このとき、キャップのねじ山（１６）は、容器からねじってはずされており（好適には、ほぼ２回の十分な回転）そしてキャップ（１４）は、容器の頚部のねじ山（２）の係合から外される。キャップ（１４）が容器から軸方向に向かって引っ張られるとき、六角形の棒のシャフト（２１）も打ち込みねじ（４）の穴（３０）の補完駆動手段（２９）から係合を外され、そしてアプリケーター（３７）は、打ち込みねじ（４）の内部の全長を軸方向に移動する。好ましくは、アプリケーター（３７）は、所望により設けられた拭うもの域（好ましくは、打ち込みねじ（４）と連絡して位置する縮小したオリフィス（２４）からなる）に触れる。この動きは、単位使用量の組成物がアプリケーターの全長に均一に分布することを可能にする。
【００３１】
エンドユーザーは、必要に応じ組成物を付与し、次に容器／打ち込みねじにアプリケーター／キャップアセンブリを再挿入する。キャップのねじ山またはより詳細にはキャップはめ込みのねじ山が容器のねじ山と係合するとき、キャップは、時計回りにねじられてキャップをユニット上に置き換える。棒の六角形の雄の部分は、打ち込みねじと係合するが、キャップ挿入タブおよび棒ラチェットシステムは、ピストンの固有の摩擦により棒をキャップ内で自由回転させる。打ち込みねじは、キャップの置き換え中駆動されない。ピストン（５）は、それがキャップ（１４）の取り外しの間進んだ位置に静止したままである。ピストン（５）は、ピストン（５）が円錐形の弁シール（９）に近づくまで、１つのディスペンサーのそれぞれの次の使用（すなわちキャップの取り外し）により同様に下方に進むだろう。
【００３２】
本発明の装置のコンポーネントは、任意の数の材料から製造でき、特に選択された材料に適切な従来のプラスチック成型法を使用する成型されたプラスチック材料から製造できる。容器（１）、末端のキャップ（１２）およびキャップ（１４）は、例えばポリエステル、ポリスチレン、ナイロンまたは高分子ポリオレフィンから製造できるが、これらに限定されない。ポリエチレンテレフタレート（ＰＥＴ）およびポリ（シクロへキシレンジメチレンシクロヘキサンジカルボキシレート）（ＰＣＴＡ）、シクロヘキサンジメタノール（ＣＨＤＭ）とテレフタール酸（ＴＡ）とのコポリエステルが、特に装置が後発泡組成物を収容しようとするとき、好ましい。好ましくは、容器（１）、末端のキャップ（１２）およびキャップ（１４）を構成するように選択された１つ以上の材料は、組み立てられた装置の外観の審美的なコンシステンシーを可能にするものでなければならない。最も好ましくは、１つ以上の材料は、末端のキャップ（１２）および容器（１）がともに超音波によりシールできるようなものでなければならならない。
【００３３】
打ち込みねじ（４）、キャップはめ込み（１５）および棒（１７）は、好ましくは、ナイロン、アセタール、ポリフェノリンスルフィド（ＰＰＳ）、ポリエステルスルホンまたはポリプロピレン複合ポリマーから製造される。アセタールは、特に装置が後発泡組成物を収容しようとするとき、好ましい。
【００３４】
ピストン（５）および弁（６）は、好ましくは、より柔らかくより弾性のある材料、例えばあるグレードのポリエチレン、弾性ポリエステルまたはポリプロピレンから製造されねばならない。低密度ポリエチレン（ＬＤＰＥ）は、特に装置が後発泡組成物を収容しようとするとき、好ましい。
【００３５】
棒（１７）は、装置に収容された組成物を、顔面、唇、皮膚、毛髪などに塗るのに使用できるが、アクセサリーアプリケーターも使用できる。好適なアクセサリーアプリケーターの例は、撚ったワイヤーブラッシュ、成型されたブラッシュ、発泡パッド、フロック加工した尖ったアプリケーター、串状のファイバーブラッシュ、櫛およびプラスチックスパチュラを含むが、これらに限定されない。
【００３６】
アクセサリーアプリケーターは、例えば、棒（１７）のシャフト（２２）のオリフィス（２３）内に適合する延在部を有するアクセサリーアプリケーターを用意することにより、棒上に設けることができる。
【図面の簡単な説明】
【００３７】
【図１】本発明の装置の好ましい態様の容器、ピストン、駆動手段、弁、ばねおよび末端のキャップの分解斜視図である。Ａは、その内部の頂部部分を詳細に画いた図１に示される弁（６）の拡大図である。Ｂは、その中に配置された六角形の穴（２９）を画いた図１に示される打ち込みねじ（４）の頂部部分の拡大斜視図である。
【図２】本発明の組み立てられた装置の好ましい態様で（図１の要素とともに）使用されるキャップ、アプリケーター棒、ブラッシュおよびキャップはめ込みの分解斜視図である。
【図３】部分的に開いた方向で組み立てた装置の水平軸に沿ってとられた図１および２の要素のアセンブリの断面図である。
【図４】アプリケーター棒の頭部上のラチェット歯を有するキャップはめ込み上のタブの協働を示す斜視図である。
【図５】Ａは、閉じた位置のキャップを有するディスペンサーを示す。Ｂは、キャップがキャップを回転することにより開き、その上方への進行を円筒状の容器から離れさせるときのディスペンサーを示す。
【符号の説明】
【００３８】
１          容器
２          頚部部分
３          １の末端
４          打ち込みねじ
５          ピストン
６          弁
７          ４のねじ山のない部分
８          ４の外側のねじ山
９          ４２の円錐形のシール
１０        円錐形の弁座
１１        ばね（バイアス要素）
１２        末端のキャップ
１３        開口
１４        キャップ
１５        キャップはめ込み
１６        １５のねじ山
１７        アプリケーター棒
１８        １７のフランジ
１９        ラチェット歯
２０        傾斜した段違いタブ
２１        六角形の部分
２２        シャフト
２３        オリフィス
２４        穴
２５        １の末端
２９        駆動手段
３０        穴  
３１        １７の上方部分
３２        縁
３５        段
３７        アプリケーター
３８        スプライン
３９        スプライン
４２        穴の中心部分
５０        環状のコンパートメント
【図１】
2008508983.tif 000003
【図１Ａ】
2008508983.tif 000004
【図１Ｂ】
2008508983.tif 000005
【図２】
2008508983.tif 000006
【図３】
2008508983.tif 000007
【図４】
2008508983.tif 000008
【図５Ａ】
2008508983.tif 000009
【図５Ｂ】
2008508983.tif 000010
【国際調査報告】
2008508983.tif 000011